(57)【要約】【課題】非接触充電システムにおいて充電異常が発生した場合に、ユーザが格別の注意を払わなくともその旨を把握できる電子機器、充電システム、及び充電異常通知方法を提供する。【解決手段】電子機器１０は、動作用電力を供給する二次電池１３０と、外部から電気的非接触の状態で電力を受電する受電部１１０と、受電した電力によって二次電池１３０を充電する充電部１２０と、充電の状態を示す充電状態パラメータを検出する検出部１４０と、検出部１４０が検出した充電状態パラメータに基づき、充電の状態が異常であるか否かを判別する異常判別部１７５と、異常判別部１７５が充電の状態が異常であると判別した場合に、異常を通知する出力を行う出力部１５０と、を備える。【選択図】図２
2012205485.tif 000002
【特許請求の範囲】
【請求項１】
動作用電力を供給する二次電池と、
外部から電気的非接触の状態で電力を受電する受電部と、
前記電力によって前記二次電池を充電する充電部と、
充電の状態を示す充電状態パラメータを検出する検出部と、
該検出部が検出した前記充電状態パラメータに基づき、前記充電の状態が異常であるか否かを判別する異常判別部と、
該異常判別部が前記充電の状態が異常であると判別した場合に、異常を通知する出力を行う出力部と、
を備える電子機器。
【請求項２】
前記検出部は、前記充電状態パラメータとして、前記充電部の温度を検出する温度検出部を備える、
ことを特徴とする請求項１に記載の電子機器。
【請求項３】
前記異常判別部は、前記温度検出部が検出した温度が予め定められた温度上限値を超えた場合に、前記充電の状態が異常であると判別する、
ことを特徴とする請求項２に記載の電子機器。
【請求項４】
前記検出部は、前記充電状態パラメータとして、前記受電した電力により前記充電部に流れる電流の大きさを検出する電流検出部を備える、
ことを特徴とする請求項１乃至３のいずれか一項に記載の電子機器。
【請求項５】
前記異常判別部は、前記電流の大きさが予め定められた電流上限値を超えた場合に前記充電の状態が異常であると判別する、
ことを特徴とする請求項４に記載の電子機器。
【請求項６】
前記異常判別部は、前記電流の大きさが予め定められた最低充電電流値を下回った場合に前記充電の状態が異常であると判別する、
ことを特徴とする請求項４又は５に記載の電子機器。
【請求項７】
前記検出部が検出した前記充電状態パラメータの履歴を記憶する履歴記憶部と、
前記履歴に基づいて取得された前記充電状態パラメータの変動値を算定する変動値算定部と、
をさらに備え、
前記異常判別部は、前記変動値が予め定められた変動基準を超えた場合に、前記充電の状態が異常であると判別する、
ことを特徴とする請求項１乃至６のいずれか一項に記載の電子機器。
【請求項８】
記憶部をさらに備え、
前記出力部は、出力方式として画面表示部、音声出力部、発振出力部、発光出力部のなかの少なくとも一つを備え、
前記異常判別部により判別される異常の内容に対応して、前記少なくとも一つの出力方式によりどの様な出力を行うかを定義する出力態様リストをあらかじめ記憶・保存する出力態様記憶部を備え、
前記出力部は、前記出力態様リストに従って出力を行う、
ことを特徴とする請求項１乃至７のいずれか一項に記載の電子機器。
【請求項９】
請求項１乃至８のいずれか一項に記載の電子機器と、
前記充電部に、受電用電力を電気的非接触の状態で供給する非接触型充電器と、
を備える充電システム。
【請求項１０】
動作用電力を供給する二次電池を備える電子機器の充電異常通知方法であって、
外部から電気的非接触の状態で受電した電力で前記二次電池を充電する充電ステップと、
該充電ステップにおける充電の状態を示す充電状態パラメータを検出する検出ステップと、
該検出ステップで検出した前記充電状態パラメータに基づき、前記充電の状態が異常であるか否かを判別する異常判別ステップと、
該異常判別ステップで、前記充電の状態が異常であると判別した場合に、異常を通知する出力を行う出力ステップと、
を備えることを特徴とする充電異常通知方法。
【発明の詳細な説明】
【技術分野】
【０００１】
本発明は、電子機器、充電システム、及び充電異常通知方法に関する。より詳しくは、非接触型の充電器を介して二次電池を非接触で充電できる電子機器、該電子機器と充電器とを備える充電システム、及び充電時の充電異常通知方法に関する。
【背景技術】
【０００２】
電子機器が備える二次電池を充電するにあたって、充電器と電子機器とを電力供給用のラインや接続端子によって物理的に接続せずに充電するシステムが知られている。このような充電システムは非接触充電システムと呼ばれる。非接触充電システムは、電力を非接触で充電器から電子機器へ供給する方法によって、電磁誘導型、電波型、電界結合型、磁界共鳴型、等に分類できる。
【０００３】
非接触充電システムは、以下の利点を有する。
（１）充電効率が高い。
（２）充電器と電子機器とを電気的に接続するための充電電力供給用のラインが不要である。
（３）充電電力供給用のラインが不要となるため、ラインを接続するための接続端子も不要となる。そのため、接続端子の形状を考慮することなく充電が可能である。
（４）接続端子におけるラインとの接触不良が起こらない。
【０００４】
一方で、非接触充電システムは充電異常が起こりやすいという問題点を持つ。
特に、電磁誘導現象により充電器のコイルから電子機器側のコイルへ電力を供給して二次電池の充電を行う電磁誘導型の非接触充電システムにおいては、コイルとコイルとの間に金属等の異物が存在すると発熱が起こり、電子機器の損壊や火災の発生等の深刻な事態につながる恐れがある。
【０００５】
また、電波型、電磁結合型又は磁界共鳴型のシステムにおいては、充電器と電子機器との間に金属等の異物が存在する場合、上記のような発熱は起こりにくいものの、電力が上手く供給されず、そのため二次電池への充電が困難となる、若しくは時間がかかるという問題が発生しやすい。
【０００６】
非接触充電システムにおいて充電異常が発生した場合に対応する技術が開発されている。例えば特許文献１は、非接触充電システムにおいて充電異常が発生すると、充電を停止する電子機器および非接触充電システムを開示している。
【先行技術文献】
【特許文献】
【０００７】
【特許文献１】特開２００７−３３６７１０号公報
【発明の概要】
【発明が解決しようとする課題】
【０００８】
非接触充電システムにおいて充電異常に対応する技術は未だ不十分である。例えば、特許文献１に記載の技術では、充電異常が発生すると充電が停止されるだけである。そのため、ユーザは格別の注意を払わないと異常が発生し、充電が停止したことを知ることができない。そのため、充電が行われないまま時間が過ぎてしまい、ユーザが早期に対策を講ずることが出来ない恐れがある。
【０００９】
本発明は以上のような事情に鑑みてなされたものであり、非接触充電システムにおいて充電異常が発生した場合に、ユーザが格別の注意を払わなくともその旨を把握できる電子機器、充電システム、及び充電異常通知方法を提供することを目的とする。
【課題を解決するための手段】
【００１０】
本発明の第１の観点に係る電子機器は、
動作用電力を供給する二次電池と、
外部から電気的非接触の状態で電力を受電する受電部と、
前記電力によって前記二次電池を充電する充電部と、
充電の状態を示す充電状態パラメータを検出する検出部と、
該検出部が検出した前記充電状態パラメータに基づき、前記充電の状態が異常であるか否かを判別する異常判別部と、
該異常判別部が前記充電の状態が異常であると判別した場合に、異常を通知する出力を行う出力部と、
を備える。
【００１１】
本発明の第２の観点に係る充電システムは、
第１の観点に係る前記電子機器と、
前記充電部に、受電用電力を電気的非接触の状態で供給する非接触型充電器と、
を備える。
【００１２】
本発明の第３の観点に係る充電異常通知方法は、
動作用電力を供給する二次電池を備える電子機器の充電異常通知方法であって、
外部から電気的非接触の状態で受電した電力で前記二次電池を充電する充電ステップと、
該充電ステップにおける充電の状態を示す充電状態パラメータを検出する検出ステップと、
該検出ステップで検出した前記充電状態パラメータに基づき、前記充電の状態が異常であるか否かを判別する異常判別ステップと、
該異常判別ステップで、前記充電の状態が異常であると判別した場合に、異常を通知する出力を行う出力ステップと、
を備えることを特徴とする。
【発明の効果】
【００１３】
本願発明によれば、非接触充電システムにおいて充電異常が発生した場合に、ユーザが格別の注意を払わなくともその旨を把握できる電子機器、充電システム、及び充電異常通知方法を提供することができる。
【図面の簡単な説明】
【００１４】
【図１】本発明の実施形態１に係る充電システムの概略構成例を示すブロック図である。
【図２】実施形態１に係る電子機器の機能構成を含む詳細構成例を示すブロック図である。
【図３】実施形態１に係る充電異常を通知する処理の例を示すフローチャートである。
【図４】本発明の実施形態２に係る充電異常を通知する処理の例を示すフローチャートである。
【図５】本発明の実施形態３に係る充電異常を通知する処理の例を示すフローチャートである。
【図６】実施形態３に係る出力態様リストの例を示す図である。
【図７】本発明の実施形態４に係る電子機器の機能構成を含む詳細構成例を示すブロック図である。
【図８】実施形態４に係る充電異常を通知する処理の例を示すフローチャートである。
【図９】本発明のその他の実施形態に係る充電システムの概略構成例を示すブロック図である。
【発明を実施するための形態】
【００１５】
以下、本発明を実施するための形態を、図を参照して説明する。なお、図中同一又は相当する部分には同一符号を付す。
【００１６】
（実施形態１）
図１に示すように、充電システム１は、電子機器１０と、交流電源２０と、非接触型の充電器３０とで構成される。以下では、充電システム１が電磁誘導型の非接触充電システムである場合を例にして説明する。
【００１７】
電子機器１０の本願発明に係る部分は、受電部１１０と、充電部１２０と、二次電池１３０と、検出部１４０と、出力部１５０と、記憶部１６０と、制御部１７０と、を備える。
【００１８】
充電器３０は、変換部３１０と、送電部３２０と、制御部３３０と、を備える。
【００１９】
充電システム１は、交流電源２０からの電力により、充電器３０を介して、電子機器１０と充電器３０とを電力供給ライン等で電気的に接続させずに、すなわち電気的に非接触の状態で、電子機器１０の二次電池１３０を充電する。
【００２０】
受電部１１０は、充電器３０から送られてくる電力を非接触で受電する。受電部１１０はコイルで構成され、電磁誘導による誘起交流電流という形で電力を受電する。詳細は後述する。
【００２１】
充電部１２０は、受電部１１０の誘起交流電流を直流に変換して、二次電池１３０を充電する。詳細は後述する。
【００２２】
二次電池１３０は、例えばリチウムイオン電池等の充電可能な電池で構成され、充電部１２０から供給される電力により充電される。また、二次電池１３０は、充電部１２０を含め、電子機器１０の動作用電力を供給する。
【００２３】
検出部１４０は、受電部１１０及び充電部１２０による二次電池１３０の充電の状態を示す充電状態パラメータを測定する。詳細は後述する。
【００２４】
出力部１５０は、測定された充電状態パラメータから、充電状態に異常があると判別されたとき、充電異常を知らせる情報を出力してユーザに通知する。詳細は後述する。
【００２５】
記憶部１６０は、例えばフラッシュメモリ、その他のメモリ、又はディスク装置などで構成され各種情報を記憶し保存する。詳細は後述する。
【００２６】
制御部１７０は、物理的にはＣＰＵ又はＤＳＰ（デジタル・シグナル・プロセッサ）、ＲＡＭ（Ｒａｎｄｏｍ  Ａｃｃｅｓｓ  Ｍｅｍｏｒｙ）等から構成され、充電部１２０、検出部１４０、出力部１５０、及び記憶部１６０を制御する。詳細は後述する。
【００２７】
充電器３０の変換部３１０は、交流電源２０から供給された交流電力を直流電力に変換するＡＣアダプタと、ＡＣアダプタにより変換されて得られた直流電力を、所定の交流電力に変換して送電部３２０に供給する充電部とを備える。
【００２８】
送電部３２０は、変換部３１０から供給された交流電力を受電部１１０に非接触で供給する。送電部３２０はコイルで構成される。
【００２９】
充電器３０の制御部３３０は、物理的にはＣＰＵ又はＤＳＰ（デジタル・シグナル・プロセッサ）、ＲＡＭ（Ｒａｎｄｏｍ  Ａｃｃｅｓｓ  Ｍｅｍｏｒｙ）等から構成され、変換部３１０の制御、及び送電部３２０に対する電力供給のオン／オフ制御を行う。また、充電器３０の認証用のＩＤを示す情報信号を送電部３２０に供給する。
【００３０】
次に、実施形態１に係る電子機器１０の詳細について図２に従って説明する。図２は、図１に示す充電部１２０、検出部１４０、出力部１５０の詳細構成を示すと共に、記憶部１６０及び制御部１７０の機能構成を示す。
【００３１】
受電部１１０のコイルは、送電部３２０のコイルに交流電流を通電することにより発生する磁束に鎖交するように配置される。これにより送電部３２０のコイルに交流電流を通電すると、電磁誘導により受電部１１０のコイルに交流電流が誘起される。この誘起交流電流が二次電池１３０の充電用の交流電力として使用される。また、受電部１１０は、充電器３０の認証用のＩＤを示す情報信号を、送電部３２０のコイルを介して、電磁誘導により受信し、充電部１２０に送信する。
【００３２】
充電部１２０は、変換部１２１を備え、受電部１１０で受電した交流電力を直流電力に変換して、二次電池１３０に出力することにより二次電池１３０を充電する。また、充電部１２０は、受電部１１０から送信される認証用のＩＤを示す情報信号を受信し、制御部１７０に送信する。
【００３３】
検出部１４０は、温度検出部１４１と、電流検出部１４２と、を備える。
【００３４】
温度検出部１４１は、例えばサーミスタ又は赤外線カメラ等から構成され、電子機器１０の筐体の充電器３０に対向する面の温度を検出し、検出結果を制御部１７０（具体的には検出制御部１７４）に送信する。赤外線カメラの場合は温度分布情報が得られるため、測定した面の最高温度に関するデータが得られる。
【００３５】
電流検出部１４２は、電流計で構成され、受電部１１０の誘起交流電流を検出する。充電部１２０（具体的は変換部１２１）に流れる電流値を検出し、検出結果を制御部１７０（具体的には検出制御部１７４）に送信する。
【００３６】
出力部１５０は、電子機器１０のユーザに充電異常を通知するための、例えば、音声出力部１５１、発振出力部１５２、発光出力部１５３、及び画面表示部１５４の少なくとも１つで構成される。
【００３７】
音声出力部１５１は、例えばスピーカ等で構成され、制御部１７０（具体的には後述する出力制御部１７１）から伝達された音響信号に基づき音声を出力する。音響信号は例えば音量、周期等を規定する。
【００３８】
発振出力部１５２は、例えばバイブレータ等で構成され、出力制御部１７１から伝達された強度、周期等に基づき振動する。
【００３９】
発光出力部１５３は、ＬＥＤ（Ｌｉｇｈｔ  Ｅｍｉｓｓｉｏｎ  Ｄｉｏｄｅ）等の発光素子で構成され、出力制御部１７１から伝達された色、強度、周期等に基づき発光する。
【００４０】
画面表示部１５４は、物理的には液晶画面等から構成され、出力制御部１７１から伝達された画面を表示する。
【００４１】
記憶部１６０は、機能的構成として、出力態様記憶部１６１と閾値記憶部１６２を備える。
【００４２】
出力態様記憶部１６１は、出力部１５０によりどの様な内容の出力を行うかを定義した出力態様リストを記憶・保存する。出力部１５０が図２に示すように複数の出力部構成機器を備えている場合は、出力態様リストは、どの出力部構成機器にどの様な内容の出力を行うかを定義している。
【００４３】
閾値記憶部１６２は、後述する制御部１７０による異常判別処理の際の判断基準となる上限値等の閾値を記憶する。
【００４４】
制御部１７０は、機能的構成として、出力制御部１７１と、充電制御部１７２と、認証部１７３と、検出制御部１７４と、異常判別部１７５と、記憶制御部１７６と、を備える。
【００４５】
出力制御部１７１は、出力部１５０を制御して、出力態様記憶部１６１に記憶されている出力態様リストに基づき、出力部１５０に出力を実行させる。
【００４６】
充電制御部１７２は、充電部１２０を制御して、充電器３０の認証に成功すれば充電部１２０に充電を実行させる。充電器３０の認証は、次のようにして実行される。まず、充電制御部１７２は、充電部１２０から充電器３０の認証用のＩＤを示す情報信号を受け取り、認証部１７３に送信する。充電制御部１７２は、認証部１７３から認証結果を受信し、認証成功の結果であれば充電部１２０への充電を開始する制御を行う。認証に成功しなければ充電を開始する制御を行わない。
【００４７】
認証部１７３は、充電制御部１７２が充電部１２０から受け取った充電器３０の認証用のＩＤを示す情報信号と記憶部１６０に保存されている認証用ＩＤとを比較し、その同一性により、充電器３０の認証を行い、認証結果を充電制御部１７２に送信する。
【００４８】
検出制御部１７４は、検出部１４０を制御して、充電状態パラメータの検出を実行させ、その結果を受信する。具体的には、温度検出部１４１及び電流検出部１４２を制御して、それぞれ、電子機器１０の筐体の充電器３０に対向する面の温度、及び充電部１２０を流れる電流値を検出させ、検出結果を取得する。
【００４９】
異常判別部１７５は、検出制御部１７４で取得した検出部１４０の充電状態パラメータの検出結果に基づき、充電状態の異常の有無を判別する。異常判別部１７５は、この判別において、閾値記憶部１６２に記憶保存されている各種閾値を読み出して利用する。
【００５０】
記憶制御部１７６は、記憶部１６０を制御して、記憶部１６０に情報を記憶させ、また記憶部１６０に記憶された情報を読み出す。
【００５１】
次に電子機器１０の充電異常通知処理に関する動作について図３を参照して説明する。
【００５２】
電子機器１０が充電器３０にセットされると、充電器３０の制御部３３０は、充電器３０の認証用ＩＤを示す情報信号を、送電部３２０を介して受電部１１０に送信する。充電部１２０は、受電部１１０が受信した情報信号を充電制御部１７２に送信する。認証部１７３は受信した情報信号に基づき充電器３０の認証用ＩＤを取得し、充電器３０を認証する。この認証はあらかじめ記憶部１６０に登録、保存している認証用ＩＤと比較することにより実行される。認証に成功すると充電が開始され、図３にフローチャートで示す充電異常通知処理１が開始される。
【００５３】
まず、検出制御部１７４は、温度検出部１４１から検出結果である温度の情報を取得する（ステップＳ１０１）。
【００５４】
次に、異常判別部１７５は、取得した温度が、閾値記憶部１６２に記憶された温度上限値以上であるか否かにより、充電異常の有無を判別する（ステップＳ１０２）。
【００５５】
異常判別部１７５は、取得した温度が温度上限値以上である場合（ステップＳ１０２；ＮＯ）、充電異常が発生していると判別し、異常通知処理として、出力制御部１７１は出力部１５０に指令して警告出力を行い、充電制御部１７２は、充電部１２０を制御して、充電部１２０による二次電池１３０への充電を停止する（ステップＳ１０６）。
【００５６】
温度が温度上限未満である場合（ステップＳ１０２；ＹＥＳ）、充電制御部１７２は電流検出部１４２から充電部１２０の変換部１２１に流れる電流を検出し、電流値として取得する（ステップＳ１０３）。そして、異常判別部１７５は、当該電流値が電流上限値以上であるか否かを判別することにより充電異常の発生の有無を判別する（ステップＳ１０４）。
【００５７】
異常判別部１７５は、取得された電流値が閾値記憶部１６２に記憶されている電流上限値以上である場合（ステップＳ１０４；ＮＯ）、充電異常が発生していると判別して先に説明した異常通知処理が行われる（ステップＳ１０６）。
【００５８】
電流値が電流上限値未満である場合（ステップＳ１０４；ＹＥＳ）、電流異常は発生していないと判別され、充電が継続される（ステップＳ１０５）。充電が継続される場合は、充電期間中、ステップＳ１０１以下の充電異常通知処理１が繰り返される。一方、充電異常が発生していると判別された場合は、異常通知処理（ステップＳ１０６）が行われた後、充電異常通知処理１は終了する。
【００５９】
以上に説明したように、実施形態１に係る電子機器１０によれば、充電異常が発生していると判別された場合に出力部１５０が警告出力を行う。そのため、ユーザは充電異常が発生した場合に格別の注意を払わなくても充電異常が発生したことをすぐに把握できる。
【００６０】
なお、図３において、ステップＳ１０１とステップＳ１０２とを一組とし、ステップＳ１０３とステップＳ１０４とを他の一組として、これらの組の実施順は入れ替えてもよい。
【００６１】
また、上記説明では、検出部１４０は温度検出部１４１と電流検出部１４２とを備えているとしたが、どちらか一方だけを備えていてもよい。その場合は、図３のフローチャートは、ステップＳ１０１とステップＳ１０２との組、又はステップＳ１０３とステップＳ１０４との組のいずれの組が省略される。
【００６２】
検出部１４０が、温度検出部１４１と電流検出部１４２のいずれか一方だけを備えている場合は、既に説明した効果を奏しつつ、電子機器１０の構成が簡略化され、コストが低減するという効果がある。
【００６３】
一方、検出部１４０が、温度検出部１４１と電流検出部１４２の両方を備えている場合は、いずれか一方の場合に比べて、異常判別処理がより確実に実行できるという効果を奏することができる。
【００６４】
（実施形態２）
次に、実施形態２について説明する。実施形態２は、充電中に充電電流が所定の閾値を下回った場合にも充電異常が発生していると判別して警告出力を行うことを特徴とする。
【００６５】
実施形態２に係る充電システム１、電子機器１０及び充電器３０の構成は図１、図２に示すものと同様である。
【００６６】
実施形態２に係る電子機器１０の充電異常通知処理に関する動作について図４に従って説明する。図４は、実施形態２に係る電子機器１０の充電異常を通知する処理の例を充電異常通知処理２として示したフローチャートである。図４に示すステップＳ２０１〜Ｓ２０４の処理内容は図３のステップＳ１０１〜Ｓ１０４の処理内容にそれぞれ対応し、同じであるので説明を省略する。
【００６７】
異常判別部１７５は、取得された電流値が電流上限値未満であると判別したとき（ステップＳ２０４；ＹＥＳ）、電流値が閾値記憶部１６２に記憶されている電流下限値以下でないかどうかを判別する（ステップＳ２０５）。電流値が電流下限値以下であると判別されたとき（ステップＳ２０５；ＮＯ）は、充電用の電力が不足しており、充電に時間がかかることになる。従って、この場合も、異常判別部１７５は、充電異常が発生したものと判別する。この判別結果に基づき、異常通知処理（ステップＳ２０７）が行われる。ステップＳ２０７で行われる異常通知処理は、充電異常通知処理１における異常通知処理（ステップＳ１０６）と同様である。
【００６８】
異常判別部１７５は、電流値が電流下限値以上の場合（ステップＳ２０５；ＹＥＳ），充電異常は発生していないと判別する。この結果を受けて充電制御部１７２は充電部１２０を制御して、充電部１２０により二次電池１３０への充電を継続させる（ステップＳ２０６）。充電が行われた場合は、充電期間中、ステップＳ２０１以下の充電異常通知処理２が繰り返される。一方、充電異常が発生している場合は、異常通知処理（ステップＳ２０６）が実行された後、充電異常通知処理２は終了する。
【００６９】
以上に説明したように、実施形態２に係る電子機器１０によれば、電子機器１０に供給される充電電流が小さすぎて充電に時間がかかりすぎる場合でも充電異常があったと判別され、出力部１５０が警告出力を行うため、ユーザは格別の注意を払わなくてもすぐにその状況を把握できる。
【００７０】
なお、ステップＳ２０４とステップＳ２０５の順序はどちらを先にしてもよい。また、ステップＳ２０１とＳ２０２とを一組とし、ステップＳ２０３〜Ｓ２０５を一組として、両組の順序はどちらを先にしてもよい。
【００７１】
更に、図４では取得された電流値が下限値未満であるかどうかの判別ステップ（ステップＳ２０５）を図３に示すフローチャートに追加する形としたが、これに限定されることはない。図４から、ステップＳ２０２〜Ｓ２０４を削除し、充電異常の判定を、電流値が下限値未満であるかどうかの判別（ステップＳ２０５）のみとしてもよく、また、ステップＳ２０１とステップＳ２０２を削除する、又はステップＳ１０４のみを削除してもよい。これらのいずれの場合も充電異常の警告出力により電子機器１０のユーザに充電異常を通知することができるという効果を奏することができる。
【００７２】
（実施形態３）
実施形態３について説明する。実施形態３は、充電異常と判別された原因それぞれについて異なる異常通知処理が行われることを特徴とする。
【００７３】
実施形態３に係る充電システム１，電子機器１０及び充電器３０の構成は、実施形態１及び２の場合と同様である。
【００７４】
実施形態３に係る電子機器１０の充電異常通知処理に関する動作について図５に従って説明する。図５は、この実施形態２に係る電子機器１０の充電異常を通知する処理の例を充電異常通知処理３として示したフローチャートである。図５に示すステップＳ３０１〜Ｓ３０６の処理内容は図４のステップＳ２０１〜Ｓ２０６の処理内容にそれぞれ対応し、同じであるので説明を省略する。
【００７５】
図５に示す処理が図４に示す処理と異なる点は、ステップＳ３０２、Ｓ３０４、Ｓ３０５の各判別処理において、「ＮＯ」の判別の時はそれぞれ異なる処理を実施する点である。
【００７６】
異なる処理には出力部１５０からの警告出力の内容も含まれる。出力の内容（広義には出力部１５０を構成する機器のどれを使用して出力するかという点も含む出力態様）を定義する出力態様リストは充電異常と判別された原因それぞれについての出力内容を定義すると共に、出力部１５０を構成する機器が複数ある場合は、構成機器毎に出力内容を定義する。
【００７７】
充電異常通知処理３では、ステップＳ３０１で取得された温度が温度上限値以上であると判別された場合（ステップＳ３０２；ＮＯ）、充電異常が発生したと判別され、温度異常通知処理（ステップＳ３０７）が実行される。具体的には、出力態様記憶部１６１に記憶された出力態様リストに従って、温度が異常である旨をユーザに知らせる警告出力がなされる。さらに、受電部１１０から充電部１２０への電力供給経路が遮断され、充電が中止される。なお、充電器３０へ充電を中止する旨が伝達されてもよい。
【００７８】
温度が温度上限値未満であると判別された場合（ステップＳ３０２；ＹＥＳ）、は電流取得ステップに移行し（ステップＳ３０３）、次にステップＳ３０４に移行する。ステップＳ３０３、Ｓ３０４、Ｓ３０５は図４のステップＳ２０３、Ｓ２０４、Ｓ２０５のそれぞれに対応し、処理内容は同一であるので、説明を省略する。
【００７９】
ステップＳ３０３で取得された電流値が電流上限値以上であると判別された場合（ステップＳ３０４；ＮＯ）、過剰電流通知処理（ステップＳ３０８）が実行される。具体的には、出力態様記憶部１６１に記憶された出力態様リストに従って、過剰電流が検出された旨をユーザに知らせる警告出力がされる。さらに、受電部１１０から充電部１２０への電力供給経路が遮断され、充電が停止される。なお、充電器３０へ充電を中止する旨が伝達されてもよい。
【００８０】
また、電流値が電流下限値以下であると判別された場合（ステップＳ３０５；ＮＯ）、充電電力不足通知処理が実行される（ステップＳ３０９）。充電電力不足通知処理では、出力態様記憶部１６１に記憶された出力態様リストに従って、電流が不足しているために効率的な充電ができない旨の警告が出力される。この場合、充電実施による危険性は低いため、充電を続行することができる。
【００８１】
電流値が電流下限値より大きい場合（ステップＳ３０５；ＹＥＳ）、または充電電力不足通知処理（ステップＳ３０９）が行われた後、充電が継続される（ステップＳ３０６）。充電期間中は、ステップＳ３０１以下の充電異常通知処理３が繰り返される。一方、温度異常通知処理（ステップＳ３０７）又は過剰電流通知処理（ステップＳ３０８）が行われた場合は、充電を停止し、充電異常通知処理３は終了する。
【００８２】
ここで、本実施形態３に係る警告出力は、ユーザが、出力の内容から、充電異常と判別された原因を認識できるようなものとする。このような出力の内容を定義する出力態様リストの例を図６に示す。
【００８３】
図６は、実施形態３に係る出力態様リストの例を示す。
【００８４】
図６（ａ）は、出力部１５０が音声出力部１５１と発光出力部１５３とを備えている場合の出力態様リストの例で、図６（ｂ）は、出力部１５０が音声出力部１５１と画面表示部１５４とを備えている場合の出力態様リストの例である。
【００８５】
図６（ａ）、（ｂ）ともに、充電異常の原因を１〜５のケースに区分し、それぞれに対して出力部１５０の構成機器毎に出力内容を示している。ケース１は電流値が電流下限値以下の場合、ケース２は電流値が電流上限値以上の場合、ケース３は温度が温度上限値以上の場合、ケース４はケース１とケース３とが併発した場合、ケース５はケース２とケース３とが併発した場合である。ケース１とケース２とが併発することはあり得ないので表には含まれていない。
【００８６】
図６（ａ）では、音声出力部１５１の出力態様としては音声、例えば警告音の発生周期を３段階に区分してケースに応じて長周期、中周期、短周期に分けて出力する。一方、発光出力部１５３は橙と赤のいずれかの発光が可能なものとして、ケース１から３までは発光させず、ケース４では橙、ケース５では赤に発光させる。このように音声出力部１５１と発光出力部１５３の出力態様を充電異常の原因に対応して変化させることにより、ユーザは、音声出力部１５１の発する警告音により充電異常の発生を認識できると共に、両出力から、例示するケース１〜５の異常の原因を区別して認識することができる。
【００８７】
図６（ｂ）では、音声出力部１５１の出力態様はケースによらず同じである。この音声出力部１５１からの警告音により、ユーザは充電異常の発生を認識する。画面表示部１５４は、充電異常の原因を画面に表示するので、ユーザはこの画面を見ることにより発生している異常の原因を把握することができる。
【００８８】
図６に示す例以外にも、種々の出力態様の例が考えられる。出力部１５０を構成する機器が１種類の場合で、例えば音声出力部１５１だけの場合、例えば音量、周期の組み合わせにより前記５ケースについて区別した出力が可能である。逆に３種類以上の出力部１５０の組み合わせによる出力も考えられる。
【００８９】
以上に説明したように、実施形態３に係る電子機器１０によれば、充電異常と判別された原因毎に異なる出力が行われるため、ユーザはどのような充電異常が起こったか、格別の注意を払わなくとも把握できる。危険性が高い異常（温度異常）が起こった場合と、危険性の低い異常（充電電力不足）が起こった場合と、それぞれの状況に応じて異なった警告が出力されるため、ユーザは何が起こったか把握し、状況に応じた行動を取ることができる。
【００９０】
なお、図５では温度異常、過剰電流、充電電力不足の３種類の充電異常を対象としているがこれに限る必要はない。この中の任意の２種類の異常を対象として本実施形態３を実施しても良いし、他の充電異常を含むものとしてもよい。いずれの場合も本実施形態３に記載の発明によればユーザに対する充電異常発生の通知という点で同様の効果を奏することができる。
【００９１】
（実施形態４）
次に、実施形態４について説明する。
実施形態４は、充電状態の変動を検出し、当該変動が所定の基準よりも大きい場合に充電異常が発生したと判別する事を特徴とする。
【００９２】
実施形態４に係る充電システム１及び充電器３０の構成は、実施形態１乃至３の場合と同様である。
【００９３】
図７は、実施形態４に係る電子機器１１の構成を示す。電子機器１１は、実施形態１に係る電子機器１０と比べて、記憶部１６０が履歴記憶部１６３を備え、制御部１７０が変動値算定部１７７を備えるという点で異なる。
【００９４】
履歴記憶部１６３には、充電状態パラメータのデータが履歴情報として記憶される。
【００９５】
変動値算定部１７７は、履歴記憶部１６３に記憶された履歴情報と取得した充電状態パラメータとから、取得した充電状態パラメータの変動値を算定する。
【００９６】
異常判別部１７５は、算定された変動値が閾値記憶部１６２に記憶されている変動上限値以上かどうかを判別し、「以上」の場合は充電異常と判別する。
【００９７】
実施形態４に係る電子機器１１の充電異常通知処理に関する動作について図８に従って説明する。図８は、この実施形態３に係る電子機器１１の充電異常を通知する処理の例を充電異常通知処理４として示すフローチャートである。
【００９８】
図８のステップＳ４０１、Ｓ４０２、Ｓ４０３の処理内容は、図５のステップＳ３０１、Ｓ３０２、Ｓ３０７の処理内容にそれぞれ対応し、同じであるため、説明を省略する。
【００９９】
異常判別部１７５により、ステップＳ４０１で取得された温度が温度上限未満であると判別された場合（ステップＳ４０２；ＹＥＳ）、温度変動値についての判別ステップ（ステップＳ４０４）に移行する。
【０１００】
ここでは、まず、変動値算定部１７７が、履歴記憶部１６３に記憶されている過去の温度データを読み出し、過去に取得された温度データに対する現在の取得された温度の変動の大きさ（温度変動値）を算定する。
【０１０１】
温度変動値の算定例を説明する。変動値算定部１７７は、直近の過去所定期間に取得された温度データを履歴記憶部１６３から読み出し、例えばその平均値Ｔｍとを算定する。次に、現在の取得された温度ＴとＴｍとの差の絶対値Δを算定し、これを温度変動値とする。
【０１０２】
次に、異常判別部１７５は、閾値記憶部１６２に記憶されている所定の温度変動上限値を読み出し、算定された温度変動値が温度変動上限値よりも大きいか否かを判別する（ステップＳ４０３）。
【０１０３】
温度変動値が温度変動上限値以上である場合（ステップＳ４０３；ＮＯ）、温度異常変動通知処理が行われる（ステップＳ４０５）。具体的には、出力制御部１７１は、出力態様記憶部１６１に記憶された出力態様リストを読み出し、これに従って出力部１５０を構成する機器に温度が異常に変動している旨の警告出力を実行させる制御を行う。このときの出力態様リストは、異常の内容として温度異常変動を含み、この異常に対応した出力部１５０を構成する機器毎の出力の態様を含む。また、充電制御部１７２は、受電部１１０から充電部１２０への電力供給経路を遮断し、充電を中止する。なお、充電器制御部１７２は、充電器３０に対して充電の中止をする旨の伝達をしてもよい。その後、充電異常処理４の処理は終了する。
【０１０４】
温度変動値が温度変動上限値未満の場合（ステップＳ４０４；ＹＥＳ）、電流取得ステップ（ステップＳ４０６）に移行する。ステップＳ４０６では充電に使用される電流の大きさが取得される。ステップＳ４０６、Ｓ４０７、Ｓ４０８，Ｓ４１１、Ｓ４１２の処理内容は図５のステップＳ３０３、Ｓ３０４、Ｓ３０８，Ｓ３０５、Ｓ３０９の処理内容にそれぞれ対応し、同じであるから、説明を省略する。
【０１０５】
ステップＳ４０６で取得された電流の大きさが電流上限値未満であった場合（ステップＳ４０７；ＹＥＳ）、電流変動判別ステップ（ステップＳ４０９）に移行する。
【０１０６】
ここでは、まず、変動値算定部１７７が、履歴記憶部１６３に記憶されている過去の電流のデータを読み出し、過去に取得された電流のデータに対する現在の取得された電流の変動の大きさ（電流変動値）を算定する。
【０１０７】
電流変動値の算定例を説明する。変動値算定部１７７は、直近の過去所定期間に取得された電流データを履歴記憶部１６３から読み出し、例えばその平均値Ｉｍとを算定する。次に、現在の取得された電流ＩとＩｍとの差の絶対値Δを算定し、これを電流変動値とする。
【０１０８】
次に、異常判別部１７５は、閾値記憶部１６２に記憶されている電流変動上限値を読み出し、算定された電流変動値が電流変動上限値よりも大きいか否かを判別する（ステップＳ４０９）。
【０１０９】
電流変動値が電流変動上限値以上の場合（ステップＳ４０９；ＮＯ）、異常電流変動通知処理が行われる（ステップＳ４１０）。具体的には、出力制御部１７１は、出力態様記憶部１６１に記憶された出力態様リストを読み出し、これに従って出力部１５０を構成する機器に電流値が異常に変動している旨の警告出力を実行させる制御を行う。このときの出力態様リストは、異常の内容として電流異常変動を含み、この異常に対応した出力部１５０を構成する機器毎の出力の態様を含む。また、充電制御部１７２は、受電部１１０から充電部１２０への電力供給経路を遮断し、充電を中止する。なお、充電器制御部１７２は、充電器３０に対して充電の中止をする旨の伝達をしてもよい。その後、充電異常処理４の処理は終了する。
【０１１０】
電流変動値が電流変動上限値未満の場合（ステップＳ４０９；ＹＥＳ）、電流値が電流下限値以下であるかどうかの判別（ステップＳ４１１）に移行する。ステップＳ４１１、Ｓ４１２の処理内容は図５のステップＳ３０５、Ｓ３０９の処理内容にそれぞれ対応し、同じなので説明を省略する。
【０１１１】
ステップＳ４０６で取得された電流値が電流下限値より大きい場合（ステップＳ４１１；ＹＥＳ）、または充電電力不足通知処理（ステップＳ４１２）が行われた後、充電が続行されるとともに、充電状態パラメータが履歴データとして記憶部１６０に保存される（ステップＳ４１３；充電・履歴保存処理）。具体的には、現在の温度と現在の電流値とが履歴データとして履歴記憶部１６３に記憶、保存される。
【０１１２】
充電・履歴保存処理（ステップＳ４１３）が行われた場合は、ステップＳ４０１に戻り、充電異常通知処理４が繰り返される。一方、温度異常通知処理（ステップＳ４０３）、温度異常変動通知処理（ステップＳ４０５）、過剰電流通知処理（ステップＳ４０８）、異常電流変動通知処理（ステップＳ４１０）、のいずれかが行われると、充電異常通知処理４は終了する。
【０１１３】
以上に説明したように、実施形態４に係る電子機器１１によれば、温度や電流値が上限値、下限値などの閾値を超えない場合でも、急激に変動している場合に充電を停止して、ユーザに通知する。これにより、充電異常が発生した場合に、閾値を超えてから異常を検出する場合よりも早期に対応することが出来るため、内部回路の損傷や火災の発生といった問題が起こるリスクを減少させることが出来る。
【０１１４】
なお、実施形態４では、一つの異常と判別される要因が検出されるとその要素に対応した通知処理が実施されたが、異常通知を行う方法はこれに限られない。その他の実施形態として、一つの要因が検出された場合に、その他の要因が存在するか否か検出して、複数の要因が検出された場合に、当該要因の組み合わせに対応した処理を行う構成が可能である。例えば、充電異常処理４（図８）において、温度異常が検出された場合に、温度が異常に変動しているかさらに検出する。そして、温度が異常に変動していた場合は温度が急速に上昇して閾値を超えたのであるから、変動異常が無い場合より大きな警告を発する、といった構成が可能である。この出力態様は出力態様リストに異常内容の組み合わせに対応した項目を作り、これに対応する出力部１５０を構成する機器の出力内容を含めることで実施することができる。なお、図３、図４に示すように、異常通知処理を共通化してしまっても差し支えない。
【０１１５】
図８に示す充電異常通知処理４は、温度変動値及び電流変動値の両者についての異常判別を含むが、いずれか一方のみとしてもよい。更に、温度異常、過剰電流異常、充電電力不足に関する異常判別の全てと組み合わせなくてもよく、少なくともいずれか一つと組み合わせてもよい。その場合でも、充電異常をユーザに知らせることができるという本願発明の効果を奏することができる。
【０１１６】
以上、本発明の実施形態１〜４について説明したが、本発明の実施形態はこれに限られるものではない。
【０１１７】
上記実施形態では、充電システム１は二つのコイルの間で起きる電磁誘導現象により電力を供給する構成を持つが、本発明の他の実施形態においては、充電システムは電場共鳴、磁場共鳴を利用して電力を非接触で供給するシステムのいずれかであってもよい。また、電波によって電力を供給するシステム利用することも可能である。このような電磁誘導によらない方法では、異物の存在によって異常な加熱が起こるリスクは少ない。しかし、電磁誘導による方法よりも電力を送信する能力が落ちるため、充電電力の不足が起こりやすい。そのため、このようなシステムでは、特に実施形態２〜４に示したような、充電中に電力不足が発生した場合に警告する技術は有用である。
【０１１８】
また、温度検出部１４１は、複数個の温度検出部１４１で構成されてもよい。異常判別部１７５は、複数個の温度検出部１４１の検出結果の中の最高温度に基づいて異常判別行ってもよい。これにより、より早期に充電異常の判別が可能となり、この判別結果に基づきより早期に充電異常の警告出力を行うことができる。
【０１１９】
温度検出部１４１は赤外線カメラから構成され、充電器周辺の所定の空間の最高温度を検出する構成を持ちうる。この場合、異常の検出は当該最高温度に基づいて行われる。
【０１２０】
上記実施形態１〜４では、認証用ＩＤコードなど認証のための情報の伝達は受電部１１０と送電部３２０とを用いて行われる。しかし、情報伝達を行う構成はこれに限られない。充電器３０と電子機器１０又は１１とがそれぞれ情報伝達のための通信部を持ち、当該通信部を用いて情報伝達を行ってもよい。
【０１２１】
上記実施形態１〜４では、電子機器１０、又は１１が検出部１４０と、出力部１５０と、を備える構成とした。しかし、図９に充電システム２として示すように、充電器３１が検出部３４０と、出力部３５０と、記憶部３６０とを備えてもよい。検出部３４０は温度を検出する温度検出部を備える。
【０１２２】
このような構成にした場合、充電器３１では制御部３３０の制御により、検出部３４０、出力部３５０、及び記憶部３６０を利用して、図３のステップＳ１０２、ステップＳ１０６、又は図５のステップＳ３０２、Ｓ３０７と同様の処理を行う。実施形態１〜４に係る内容の内、温度に関する充電異常判別とその後の処理は、この実施形態においてもそのまま成立する。電子機器１０又は１１にいても重複して充電異常別と出力とを実施するか、それとも一部のみ実施するかは自由である。
【０１２３】
この場合も、温度による充電異常を早期にユーザに伝えることができる。また、電子機器１０又は１１が、これまで説明したような異常通知機能を持たない場合であっても、充電異常を判別して通知することが出来る。
【０１２４】
なお、図３、図４、図５、及び図８に示すフローチャートは本願発明に係る電子機器１０又は１１の充電異常通知に係る動作を説明すると共に、充電異常通知方法及び充電異常通知プログラムの内容をも示している。充電異常通知方法及び充電異常通知プログラムにおいても上記で説明した効果を奏することができる。
【０１２５】
なお、上記実施形態は、本発明の具体的実施態様の例示であって、本発明の技術的範囲を限定するものではない。本発明は、特許請求の範囲に記載された技術的思想の範囲において、自在に変形、応用あるいは改良して実施できる。
【０１２６】
上記の実施形態の一部又は全部は、以下の付記のようにも記載されうるが、以下に限らない。
【０１２７】
（付記１）
動作用電力を供給する二次電池と、
外部から電気的非接触の状態で電力を受電する受電部と、
前記電力によって前記二次電池を充電する充電部と、
充電の状態を示す充電状態パラメータを検出する検出部と、
該検出部が検出した前記充電状態パラメータに基づき、前記充電の状態が異常であるか否かを判別する異常判別部と、
該異常判別部が前記充電の状態が異常であると判別した場合に、異常を通知する出力を行う出力部と、
を備える電子機器。
【０１２８】
（付記２）
前記検出部は、前記充電状態パラメータとして、前記充電部の温度を検出する温度検出部を備える、
ことを特徴とする付記１に記載の電子機器。
【０１２９】
（付記３）
前記異常判別部は、前記温度検出部が検出した温度が予め定められた温度上限値を超えた場合に、前記充電の状態が異常であると判別する、
ことを特徴とする付記２に記載の電子機器。
【０１３０】
（付記４）
前記検出部は、前記充電状態パラメータとして、前記受電した電力により前記充電部に流れる電流の大きさを検出する電流検出部を備える、
ことを特徴とする付記１乃至３のいずれか一つに記載の電子機器。
【０１３１】
（付記５）
前記異常判別部は、前記電流の大きさが予め定められた電流上限値を超えた場合に前記充電の状態が異常であると判別する、
ことを特徴とする付記４に記載の電子機器。
【０１３２】
（付記６）
前記異常判別部は、前記電流の大きさが予め定められた最低充電電流値を下回った場合に前記充電の状態が異常であると判別する、
ことを特徴とする付記４又は５に記載の電子機器。
【０１３３】
（付記７）
前記検出部が検出した前記充電状態パラメータの履歴を記憶する履歴記憶部と、
前記履歴に基づいて取得された前記充電状態パラメータの変動値を算定する変動値算定部と、
をさらに備え、
前記異常判別部は、前記変動値が予め定められた変動基準を超えた場合に、前記充電の状態が異常であると判別する、
ことを特徴とする付記１乃至６のいずれか一つに記載の電子機器。
【０１３４】
（付記８）
記憶部をさらに備え、
前記出力部は、出力方式として画面表示部、音声出力部、発振出力部、発光出力部のなかの少なくとも一つを備え、
前記異常判別部により判別される異常の内容に対応して、前記少なくとも一つの出力方式によりどの様な出力を行うかを定義する出力態様リストをあらかじめ記憶・保存する出力態様記憶部を備え、
前記出力部は、前記出力態様リストに従って出力を行う、
ことを特徴とする付記１乃至７のいずれか一つに記載の電子機器。
【０１３５】
（付記９）
付記１乃至８のいずれか一つに記載の電子機器と、
前記充電部に、受電用電力を電気的非接触の状態で供給する非接触型充電器と、
を備える充電システム。
【０１３６】
（付記１０）
前記非接触型充電器は、
前記充電器の充電時の温度を検出する温度検出部と、
前記温度検出部が検出した温度に基づき、充電の状態が異常であるか否かを判別する制御部と、
充電の状態が異常であると判別された場合に、異常を通知する出力を行う出力部と、
を備える、
ことを特徴とする付記９に記載の充電システム。
【０１３７】
（付記１１）
動作用電力を供給する二次電池を備える電子機器の充電異常通知方法であって、
外部から電気的非接触の状態で受電した電力で前記二次電池を充電する充電ステップと、
該充電ステップにおける充電の状態を示す充電状態パラメータを検出する検出ステップと、
該検出ステップで検出した前記充電状態パラメータに基づき、前記充電の状態が異常であるか否かを判別する異常判別ステップと、
該異常判別ステップで、前記充電の状態が異常であると判別した場合に、異常を通知する出力を行う出力ステップと、
を備えることを特徴とする充電異常通知方法。
【０１３８】
（付記１２）
動作用電力を供給する二次電池を備える電子機器の充電異常通知プログラムであって、
外部から電気的非接触の状態で受電した電力で前記二次電池を充電する充電ステップと、
該充電ステップにおける充電の状態を示す充電状態パラメータを検出する検出ステップと、
該検出ステップで検出した前記充電状態パラメータに基づき、前記充電の状態が異常であるか否かを判別する異常判別ステップと、
該異常判別ステップで、前記充電の状態が異常であると判別した場合に、異常を報知する出力を行う出力ステップと、
をコンピュータに実行させることを特徴とする充電異常通知プログラム。
【符号の説明】
【０１３９】
１        充電システム
２        充電システム
１０      電子機器
１１      電子機器
２０      交流電源
３０      充電器
３１      充電器
１１０    受電部
１２０    充電部
１２１    変換部
１３０    二次電池
１４０    検出部
１４１    温度検出部
１４２    電流検出部
１５０    出力部
１５１    音声出力部
１５２    発振出力部
１５３    発光出力部
１５４    画面表示部
１６０    記憶部
１６１    出力態様記憶部
１６２    閾値記憶部
１６３    履歴記憶部
１７０    制御部
１７１    出力制御部
１７２    充電制御部
１７３    認証部
１７４    検出制御部
１７５    異常判別部
１７６    記憶制御部
１７７    変動値算定部
３１０    変換部
３２０    送電部
３３０    制御部
３４０    検出部
３５０    出力部
３６０    記憶部
【図１】
2012205485.tif 000003
【図２】
2012205485.tif 000004
【図３】
2012205485.tif 000005
【図４】
2012205485.tif 000006
【図５】
2012205485.tif 000007
【図６】
2012205485.tif 000008
【図７】
2012205485.tif 000009
【図８】
2012205485.tif 000010
【図９】
2012205485.tif 000011